(57)【要約】      （修正有）【課題】治療用レーザ光を随時任意な場所で簡易的に照射でき、さらに使用者・治療者あるいは周辺の人にも安全に扱えるレーザ治療器を提供する。【解決手段】半導体レーザ光照射ユニットを内蔵したレーザ治療器であって、全体を腕時計型に納まる形態とした。また、時計を内蔵させて、レーザ光１照射による治療開始時間・治療終了時間を設定できるようにし、レーザ光照射治療の終了時を治療者に感知させる機構を設けて、治療者がレーザ光照射治療の終了を認識できるようにした。さらに、レーザ光の強弱を選択できる機構、治療器を使用に供しない場合および身体の異常を検知した場合にレーザ光照射を停止する機構を備え、使用者・治療者に安全に扱える治療器とし、周辺の人の安全を考慮した治療器とした。【選択図】図２
0003188666.tif 000002
【実用新案登録請求の範囲】
【請求項１】
半導体レーザ光照射ユニットを内蔵したレーザ治療器であって、該治療器を腕時計型に一体化したこと、を特徴とする腕時計型半導体レーザ治療器。
【請求項２】
請求項１記載の腕時計型半導体レーザ治療器において、レーザ光照射治療開始時間・終了時間を設定できる機構、及びレーザ光照射治療の終了時を治療者に感知させる機構を備えたこと、を特徴とする腕時計型半導体レーザ治療器。
【請求項３】
請求項１記載の腕時計型半導体レーザ治療器において、レーザ光の強弱を選択できる機構、該治療器を使用に供しない場合および身体の異常を検知した場合にレーザ光照射を停止する機構を備えたこと、を特徴とする腕時計型半導体レーザ治療器。
【考案の詳細な説明】
【技術分野】
【０００１】
半導体レーザ光照射ユニットを内蔵した腕時計型半導体レーザ治療器に関する。
【背景技術】
【０００２】
レーザ光照射により、筋肉痛・筋肉の炎症・肩こり・腰痛の治療、脳梗塞・心筋梗塞の予防と治療、高血圧症・糖尿病・高脂血症・血液高粘症の治療等に効果があることは一般に知られ、特に半導体レーザ光による治療は、小型化が可能であって手軽に使用できることから広く利用されるようになってきている。
【０００３】
特に、手首の内側の橈骨動脈上に所定波長のレーザ光を照射すると、レーザ光のエネルギーは赤血球に吸収され、赤血球は健康な状態に戻され、生体内のエネルギーが増大され、赤血球は変形能力が高められることにより、赤血球は自ら大きさよりも細い血管内に入り込むことができ、微細血管にも血液流量を増やす効果があると言われている。
【０００４】
このため、半導体レーザ光照射ユニットを内蔵したレーザ治療器については種々考案・発明がなされてきているが、使用者・治療者が適宜な時間帯に任意な場所で簡易・安全に使用でき、かつ周辺の人の安全をも考慮したレーザ治療器は市場に見当たらない。
【先行技術文献】
【特許文献】
【０００５】
【特許文献１】特開平５−１６８号公報
【考案の概要】
【考案が解決しようとする課題】
【０００６】
本願考案は、治療用レーザ光を随時任意な場所で簡易的に照射でき、使用効果を一層高めるため、主として手首の内側の橈骨動脈上に所定波長のレーザ光を照射できるようにすることを課題とする。
【０００７】
また、レーザ光の照射治療開始時間・終了時間を自在に設定でき、終了時を治療者が容易に感知できるようにすることを課題とする。
【０００８】
さらに、使用者・治療者に安全に扱える治療器とし、周辺の人の安全を考慮したレーザ治療器を提供することを課題とする。
【課題を解決するための手段】
【０００９】
上記課題を達成するため、随時任意な場所で使用し治療できるように、全体を腕時計型に納まるように一体化し、手首の内側に装着することにより橈骨動脈上にレーザ光を照射できるようにした。
【００１０】
また、時計を内蔵させて、レーザ光照射による治療開始時間・治療終了時間を設定できるようにし、レーザ光照射治療の終了時を治療者に感知させる機構を設けて、治療者がレーザ光照射治療の終了を認識できるようにした。
【００１１】
さらに、レーザ光の強弱を選択できる機構、治療器を使用に供しない場合および身体の異常を検知した場合にレーザ光照射を停止する機構を備え、使用者・治療者に安全に扱える治療器とし、周辺の人の安全を考慮した治療器とした。
【考案の効果】
【００１２】
本体装置を腕に装着できる腕時計型にしたため、コードレスの機器となり、随時任意な場所で使用し治療できることとなり、手首の内側の橈骨動脈上に装着可能としたことから、使用効果を一層高めることができた。
【００１３】
腕時計型の本体装置に、時計を内蔵させたことから、レーザ光照射の時間に関する管理が容易に行えることとなった。即ちレーザ光照射治療開始時間・治療終了時間の設定、バイブレータ振動による体感検知あるいは内蔵ディスプレイの表示色変化による視覚検知により、治療者がレーザ光照射治療の終了を認識できることになった。
【００１４】
また、レーザ光の強弱を選択できる機構を設けたことから、個人差に応じた適度の強度のレーザ光の照射が可能となった。
【００１５】
さらに、照度センサで人体の皮膚を感知しないとレーザ光の照射を阻止する機構、ケース裏蓋に設けたインターロック式接点により不用意に裏蓋を解放するとレーザ光照射を常時停止する機構、および心拍センサにより心拍数に異常を感知した時にはレーザ光照射を即時停止する機構を備えたことから、使用者・治療者は安全に扱うことができ、かつ周辺の人の安全を考慮した治療器を提供することができることになった。
【図面の簡単な説明】
【００１６】
【図１】図１は本願装置の正面図である。
【図２】図２は本願装置の裏面図である。
【図３】図３は図１に示す c-d 矢視断面の断面図である。
【図４】図４は図１に示す a-b 矢視断面の断面図である。
【図５】図５は概略回路図である。
【考案を実施するための形態】
【００１７】
回路構成の概略例の一例を図５に示す。
本装置の回路構成は大別して、電源回路２０、時計機能を含んだクロック制御回路３０（ＣＰＵ１）、レーザ光制御回路４０（ＣＰＵ２）、およびレーザ光照射回路５０、の４つの回路から構成されている。
電源回路２０は、リチウムイオン電池２１、充電回路２２、電池残量回路２３および定電圧制御回路２４とからなり、電力は充電用ＤＣジャック５から供給される。
レーザ光照射回路５０は、本例では、４個の半導体レーザ光ユニット５１・５２・５３・５４からなるとしているが、４個とは限らず、他の個数であってもよい。
半導体レーザ光ユニットのうち、例としてユニット５１を取り上げると、このユニットはＬＤドライバユニット５１１、半導体レーザダイオード５１２および照度センサーユニット５１３とから構成されている。他のユニット５２・５３・５４も同様である。
【００１８】
本体装置は腕時計型で、内蔵した時計は、１２時間／２４時間表示、２４時間アラームタイマーの他、バイブレーター７を振動させて体感により、あるいは内蔵する液晶ディスプレイ４の表示色を変化させて視覚により、使用者・治療者にレーザ光照射終了時を感知させる機能を有している。
【００１９】
レーザ光照射方法として、本例では、手動による方法とプログラミングによってクロック制御回路を利用し制御する方法を採用している。
手動によるレーザ光照射の場合は、プッシュスイッチ１３によって、半導体レーザ光ユニット５１・５２・５３・５４は、レーザ光制御回路４０でレーザ光照射レベルを弱／中／強のいずれかに設定され、次にプッシュスイッチ１２を長押し（約２秒）することにより、半導体レーザ光ユニットからレーザ光が設定されたレーザ光照射レベルで照射される。
【００２０】
プログラミングによってクロック制御回路３０を利用し制御する方法によるレーザ光照射の場合は、クロック制御回路の機能を使用し、プログラミングによってレーザ光照射動作が設定され、設定可能な項目には後記のようなものがある。
【００２１】
安全装置としては、レーザ光１の照射時に、人体の皮膚２からのレーザの反射光３を、照度センサ５１３・５２３・５３３・５４３によって検出して照射を制御する装置、ケース裏蓋にインターロック式接点６を設けて裏蓋を解放するとレーザ光照射を不可能にする装置および心拍センサ９により急激な心拍数の上昇を感知した時にレーザ光照射を停止する装置の３つの装置が内蔵されている。
【００２２】
照度センサ５１３・５２３・５３３・５４３によって照射を制御する装置の機能は、照度センサはレーザ光制御回路４０からの指令により人体の皮膚２からのレーザの反射光３の検出動作を開始し、レーザの反射光を検出できなかったら、レーザ光制御回路は直ちにＬＤドライバーユニット５１１・５２１・５３１・５４１を介して、半導体レーザダイオード５１２・５２２・５３２・５４２のレーザ光照射動作を停止させる。
【００２３】
心拍センサ９により急激な心拍数の上昇を感知した時にレーザ光照射を停止する装置の機能としては、一例を上げると、レーザ光１の照射開始後３０秒間心拍のサンプリング測定を行って初期設定とし、その後心拍数が１５０％を超過するとレーザ光照射を停止させるような機能がある。
【００２４】
また、付加機能として、体温センサ８を設けている。これは、総合的な体調管理に役立てようとするもので、Bluetooth（登録商標） を介して、他の機器へ体温データ転送することにより、他の機器で一括して体調管理を可能とするものである。なお、Bluetooth（登録商標） によるデータ転送は、他のデータも転送可能である。
【００２５】
以下、各プッシュスイッチについて説明する。これは、具体例の一つであり、勿論、他の設定方法であってもよい。
プッシュスイッチ１１は、設定しようとする数値を一段上の数値にする。いわゆる、ＵＰ の働きをする。
また、後記のように、プッシュスイッチ１４の動作モードにおいては、各動作モードにおける詳細な設定を可能にする。
【００２６】
プッシュスイッチ１２は、設定しようとする数値を一段下の数値にする。いわゆる、ＤＯＷＮ の働きをする。
また、手動モードにおいては、２秒以上の長押しでレーザ光照射を開始する。
さらに、後記のように、プッシュスイッチ１４の動作モードにおいては、各動作モードにおける詳細な設定を決定する。
【００２７】
プッシュスイッチ１３は、レーザ光照射の強度の設定を変更する働きを有し、スイッチを１回押すたびに、弱→中→強 と循環しながら強度が変更され設定される。
また、約２秒以上の長押しでカレンダー（年月日時間）の設定モードとなり、続けて、１回押すごとに、ａ．時設定、ｂ．分設定、ｃ．月設定、ｄ．日付設定、ｅ．西暦年設定 となり、以降はこれが繰り返される。
各設定は、プッシュスイッチ１４を１回押すことにより確定される。
【００２８】
プッシュスイッチ１４は、動作モードを決定する。
スイッチを１回押すたびに、動作モードが以下の様に変化する。
ａ．手動モードで、レーザ光照射を行う時の照射し続ける時間を設定し、プッシュスイッチ１１とプッシュスイッチ１２とで時間を設定する。
ｂ．プログラムモードで、レーザ光照射を行う時の、開始時間と終了時間を設定する。
プッシュスイッチ１３を１回ずつ押して行き、開始する日、時間、終了する日、時間を設定する。
尚、数値設定は、プッシュスイッチ１１およびプッシュスイッチ１２で行う。
ｃ．レーザ光照射完了時の通知デバイスを設定する。
プッシュスイッチ１１およびプッシュスイッチ１２で、液晶ディスプレイ４のフリッカー表示、バイブレータによる振動、その両方同時動作 を選択できる。
なお、液晶ディスプレイのフリッカー表示の一例として、約１秒毎に、画面全体を赤、緑、青と変化させる表示方法がある。
ｄ．オプション機能 （体温センサ・心拍センサまたは体温センサおよび心拍センサの双方）の選択をする。
プッシュスイッチ１１およびプッシュスイッチ１２で、上記オプション機能を選択する。
ｅ．Bluetooth（登録商標） の設定をする。
プッシュスイッチ１１およびプッシュスイッチ１２で、（１）機器サーチ、（２）機器登録、（３）起動、（４）データ送信、（５）データクリア の各動作を液晶ディスプレイ４のアイコンを選択することにより設定する。
本体内に蓄積されたデータを Bluetooth（登録商標） を介して他の機器へ送信する場合は、本メニューで起動を行い、続いてデータ送信を実行する。
【００２９】
プッシュスイッチ１５は、リセットスイッチであり、各設定内容を工場出荷時の初期値に戻す。
【００３０】
本願考案は上記の実施例に限定されるものではなく、実用新案登録請求の範囲の記載から逸脱せず、当業者であれば容易に想到し得る範囲でなされる種々の変形態様も本願考案に含まれる。
【産業上の利用可能性】
【００３１】
本願考案は、本体装置を腕に装着できる腕時計型にし、手首の内側の橈骨動脈上に装着可能としたことから、コードレスな機器となって、随時任意な場所で使用し治療できることとなり、本体内に蓄積されたデータを Bluetooth（登録商標） を介して他の機器へ送信することを可能にしたことから、レーザ光照射による治療のみならず、体調管理にも有用なものである。
【符号の説明】
【００３２】
１      レーザ光                      １１      プッシュスイッチ
２      人体の皮膚                    １２      プッシュスイッチ
３      レーザの反射光                １３      プッシュスイッチ
４      液晶ディスプレイ              １４      プッシュスイッチ
５      充電用ＤＣジャック            １５      プッシュスイッチ
６      インターロック式接点
７      バイブレーター
８      体温センサ
９      心拍センサ
２０      電源回路
２１      リチウムイオン電池
２２      充電回路
２３      電池残量回路
２４      定電圧制御回路
３０      クロック制御回路（ＣＰＵ１）
４０      レーザ光制御回路（ＣＰＵ２）
５０      レーザ光照射回路
５１      半導体レーザ光ユニット      ５３      半導体レーザ光ユニット
５１１    ＬＤドライバーユニット      ５３１    ＬＤドライバーユニット
５１２    半導体レーザダイオード      ５３２    半導体レーザダイオード
５１３    照度センサ                  ５３３    照度センサ
５２      半導体レーザ光ユニット      ５４      半導体レーザ光ユニット
５２１    ＬＤドライバーユニット      ５４１    ＬＤドライバーユニット
５２２    半導体レーザダイオード      ５４２    半導体レーザダイオード
５２３    照度センサ                  ５４３    照度センサ
【図１】
0003188666.tif 000003
【図２】
0003188666.tif 000004
【図３】
0003188666.tif 000005
【図４】
0003188666.tif 000006
【図５】
0003188666.tif 000007